(57)【特許請求の範囲】
【請求項１】
画像形成装置と、複数の識別マークの中からユーザーによって選択された前記識別マークを印刷データと共に前記画像形成装置に送信する端末装置とを有し、前記画像形成装置によって前記印刷データと共にユーザーによって選択された前記識別マークを用紙に印刷する印刷用紙仕分けシステムであって、
前記画像形成装置は、
印刷した前記識別マークを使用済マークデータとして記憶する使用済マークデータ記憶部と、
印刷後に所定の条件を満たすと印刷した前記識別マークを前記使用済マークデータから削除する使用済マークデータ削除部と、
前記端末装置からの使用済マーク送信要求に基づいて前記使用済マークデータを前記端末装置に送信する使用済マークデータ送信部と、
片面印刷の場合にユーザーによって選択された前記識別マークのスタンプを前記用紙の裏面の余白部分に印刷し、両面印刷の場合に前記識別マークのマーカーを前記用紙の表面の余白部分に印刷することで、前記片面印刷であるか前記両面印刷であるかを判別可能に印刷するマーク印刷実行部と、
前記用紙の排出空間における前記用紙の有無を判断するセンサーと、
を備え、
前記使用済マークデータ削除部は、前記センサーが排出された前記用紙を検知できない場合に、前記所定の条件を満たすものとして、印刷した前記識別マークを前記使用済マークデータから削除し、
前記端末装置は、
前記印刷データの送信に先立って、前記使用済マーク送信要求を送信する使用済マーク要求送信部と、
前記画像形成装置から受信した前記使用済マークデータに基づいて、前記使用済マークデータ以外の前記識別マークの選択を受け付ける識別マーク選択部と、
前記識別マークの付加有無と、前記識別マークの前記スタンプの選択と、選択された前記スタンプの色の選択、及び前記マーカーの色の選択を行うマーク設定画面を表示し、前記マーク設定画面から設定される前記識別マークの付加有無と、前記識別マークの付加有の場合に選択された前記識別マークの前記スタンプ、及び選択された前記スタンプの色及び前記マーカーの色とを入力するマーク設定画面部と、
を備えることを特徴とする印刷用紙仕分けシステム。
【請求項２】
前記使用済マークデータ削除部は、使用されてから予め決められた時間が経過した前記識別マークを、前記所定の条件を満たすものとして、前記使用済みマークデータから削除することを特徴とする請求項１に記載の印刷用紙仕分けシステム。
【発明の詳細な説明】
【技術分野】
【０００１】
本発明は、画像データが印刷された用紙（以下、「印刷用紙」という）を印刷要求元のユーザー毎に仕分けする印刷用紙仕分けシステムに関する。
【背景技術】
【０００２】
プリンター、多機能プリンター、多機能周辺装置、又は複合機などのＭＦＰ（Ｍｕｌｔｉｆｕｎｃｔｉｏｎ  Ｐｅｒｉｐｈｅｒａｌ）である画像形成装置は、ユーザーのＰＣ（パソコン）などの端末装置又は画像形成装置の操作パネルから画像データの印刷ジョブを受け付けることができる。このため、複数のユーザーがほぼ同時に端末装置又は画像形成装置の操作パネルから印刷ジョブを実行すると、複数のユーザーの印刷用紙が重なり合った状態で画像形成装置の排出空間に置かれる。このような状態において、ユーザーが排出された印刷用紙の中から自分が実行した印刷ジョブが出力する印刷用紙を取り出すときに、誤って他のユーザーの印刷用紙を持って行ってしまうことがある。誤って持って行かれた印刷用紙に、機密情報や個人情報が印刷されている場合には、これらの情報が漏洩する心配があるので、ユーザー毎に印刷用紙を仕分けし、誤って持って行かない対策を行っている。例えば、特許文献１に記載されている印刷システムは、余白無し記録を行うインクジェット記録装置において、ユーザー毎に目印色を設定し、ジョブ毎に異なる位置に線状の目印を記録媒体側面にスライドすることで、ユーザー毎の印刷文書の仕分けを行っている。
【先行技術文献】
【特許文献】
【０００３】
【特許文献１】特開２００３−２７４１３３号公報
【発明の概要】
【発明が解決しようとする課題】
【０００４】
特許文献１の印刷システムでは、ユーザー毎に目印色の設定を行う場合に、既に別のユーザーが設定している目印色を設定することができないので、１台の画像形成装置を大勢のユーザーで共用する場合には、目印色が不足する恐れがある。また、ユーザーが常時使用する画像形成装置でなく、あまり使用しない画像形成装置に、常時使用する画像形成装置と同じ目印色を設定したい場合に、同じ目印色が既に設定されているときには、他の目印色を設定しなければならない。このため、ユーザーは、画像形成装置毎に設定した目印色を覚えておかなければならず、また設定した目印色を忘れた場合には、その都度、画像形成装置に設定した目印色を確認しなければならないという問題があった。
【０００５】
本発明はこのような状況に鑑みてなされたものであり、上記課題を解決できる印刷用紙仕分けシステムを提供することを目的とする。
【課題を解決するための手段】
【０００６】
本発明の印刷用紙仕分けシステムは、画像形成装置と、複数の識別マークの中からユーザーによって選択された前記識別マークを印刷データと共に前記画像形成装置に送信する端末装置とを有し、前記画像形成装置によって前記印刷データと共にユーザーによって選択された前記識別マークを用紙に印刷する印刷用紙仕分けシステムであって、前記画像形成装置は、印刷した前記識別マークを使用済マークデータとして記憶する使用済マークデータ記憶部と、印刷後に所定の条件を満たすと印刷した前記識別マークを前記使用済マークデータから削除する使用済マークデータ削除部と、前記端末装置からの使用済マーク送信要求に基づいて前記使用済マークデータを前記端末装置に送信する使用済マークデータ送信部と、片面印刷の場合にユーザーによって選択された前記識別マークのスタンプを前記用紙の裏面の余白部分に印刷し、両面印刷の場合に前記識別マークのマーカーを前記用紙の表面の余白部分に印刷することで、前記片面印刷であるか前記両面印刷であるかを判別可能に印刷するマーク印刷実行部と、前記用紙の排出空間における前記用紙の有無を判断するセンサーと、を備え、前記使用済マークデータ削除部は、前記センサーが排出された前記用紙を検知できない場合に、前記所定の条件を満たすものとして、印刷した前記識別マークを前記使用済マークデータから削除し、前記端末装置は、前記印刷データの送信に先立って、前記使用済マーク送信要求を送信する使用済マーク要求送信部と、前記画像形成装置から受信した前記使用済マークデータに基づいて、前記使用済マークデータ以外の前記識別マークの選択を受け付ける識別マーク選択部と、前記識別マークの付加有無と、前記識別マークの前記スタンプの選択と、選択された前記スタンプの色の選択、及び前記マーカーの色の選択を行うマーク設定画面を表示し、前記マーク設定画面から設定される前記識別マークの付加有無と、前記識別マークの付加有の場合に選択された前記識別マークの前記スタンプ、及び選択された前記スタンプの色及び前記マーカーの色とを入力するマーク設定画面部と、を備えることを特徴としている。
また、前記使用済マークデータ削除部は、使用されてから予め決められた時間が経過した前記識別マークを、前記所定の条件を満たすものとして、前記使用済みマークデータから削除することを特徴としている。
【発明の効果】
【０００７】
本発明の印刷用紙仕分けシステムは、決められた時間内に同じ目印のマーク（以下、「マーク」という）が付加された異なるユーザーの印刷用紙が出力されないようにすることで、印刷用紙の仕分けを容易に行うことができる。
【図面の簡単な説明】
【０００８】
【図１】本発明の実施形態に係る印刷用紙仕分けシステムの機能構成を示す図である。
【図２】本発明の実施形態に係るマーク設定画面の一例を示す図である。
【図３】本発明の実施形態に係るマークが付加された印刷用紙の一例を示す図である。
【図４】本発明の実施形態に係るマークの設定から印刷用紙の出力までの手順を示すフローチャートである。
【発明を実施するための形態】
【０００９】
以下、本発明を実施するための形態（以下、「実施形態」という）を、図面を参照して説明する。実施形態は、ユーザーがＰＣから画像形成装置に印刷ジョブを送信するときに、マークの付加の有無と、マークの付加が有りのときにはマークを選択すると、画像形成装置は、予め決められた時間内に同じマークが使用されている場合には、別のマークを使用させることで、同じマークが付加された印刷用紙が排出空間に重ねられた状態で置かれないようにするものである。なお、実施形態のマークは、文字や記号などのスタンプとスタンプ色又は線状のラインの色により決定され、印刷用紙の余白部分に印刷される。また、印刷用紙の余白部分とは、ページ設定機能により指定又は画像形成装置が記憶している画像データが印刷されない用紙の空白部分である。
【００１０】
実施形態における印刷用紙仕分けシステム１０の機能構成について、図１を用いて説明する。図１に示す印刷用紙仕分けシステム１０は、ＰＣ１００、画像形成装置２００、及びネットワーク３００で構成され、ＰＣ１００と画像形成装置２００は、ネットワーク３００で接続されている。
【００１１】
ＰＣ１００は、端末装置であり、画像形成装置２００のプリンタードライバーが搭載され、スキャナーで読み込まれた原稿の画像データ又は文書作成ソフトウェアにより作成された文書の画像データなどを格納した印刷ジョブを画像形成装置２００に送信する。
【００１２】
画像形成装置２００は、プリンター、多機能プリンター、多機能周辺装置、又は複合機であり、画像形成装置２００は、ＰＣ１００から印刷ジョブを受信すると、印刷ジョブから画像データを取り出し、画像データを印刷する。
【００１３】
ネットワーク３００は、ＬＡＮ（Local Area Network）などのネットワーク(イントラネット等)であり、ＰＣ１００、画像形成装置２００、及びアクセスポイント４００が接続されている。また、ネットワーク３００のアクセスポイント４００は、アクセスポイント４００に対して接続要求を行っている携帯電話、スマートフォン又はタブレット端末などの携帯用の端末装置である携帯端末５００をネットワーク３００に接続する。
【００１４】
まず、ＰＣ１００の機能構成について図１を用いて説明する。図１に示すようにＰＣ１００は、制御部１０１、メモリー部１０２、操作パネル１０３、操作パネル処理部１０４及びネットワーク通信部１０５を備え、これら各部はバスなどにより接続される構成となっている。制御部１０１には、プリンタードライバー処理部１０１ａ、マーク設定画面処理部１０１ｂ、使用済マークデータ要求送信処理部１０１ｃ、使用済マークデータ受信処理部１０１ｄ及び印刷ジョブ送信処理部１０１ｅが設けられている。メモリー部１０２には、画像データ記憶エリア１０２ａと使用済マークデータ一時記憶エリア１０２ｂが設けられている。
【００１５】
制御部１０１は、ＲＡＭやＲＯＭ等の主記憶手段、及びＣＰＵ(Central Processing Unit)等の制御手段を備えている。また、制御部１０１は、各種Ｉ／Ｏや、ＵＳＢ（ユニバーサル・シリアル・バス）等のインターフェイス、バスコントローラー等を含む総合的なＰＣ１００の制御を行う。
プリンタードライバー処理部１０１ａは、画像形成装置２００に送信する印刷ジョブを作成するための処理を行う。
マーク設定画面処理部１０１ｂは、マーク設定画面７００を表示し、マーク設定画面７００から設定されるデータを入力する。なお、マーク設定画面７００の詳細については、後述する。
使用済マークデータ要求送信処理部１０１ｃは、使用済であるマークのマークデータ（以下、「使用済マークデータ」という）を画像形成装置２００から受信するために、使用済マークデータの要求を画像形成装置２００に送信する。
使用済マークデータ受信処理部１０１ｄは、画像形成装置２００から使用済マークデータを受信する。
印刷ジョブ送信処理部１０１ｅは、印刷ジョブを画像形成装置２００に送信する。
なお、プリンタードライバー処理部１０１ａ、マーク設定画面処理部１０１ｂ、使用済マークデータ要求送信処理部１０１ｃ、使用済マークデータ受信処理部１０１ｄ及び印刷ジョブ送信処理部１０１ｅの詳細については、後述する。
【００１６】
メモリー部１０２は、フラッシュメモリー等からなる補助記憶装置で、制御部１０１が実行する処理のプログラムやデータを記憶する。
画像データ記憶エリア１０２ａは、スキャナーで読み込まれた画像データや文書作成ソフトウェアで作成された画像データなどを記憶する。
使用済マークデータ一時記憶エリア１０２ｂは、画像形成装置２００から受信する使用済マークデータを記憶する。
【００１７】
操作パネル１０３は、操作項目や各種情報の表示、ユーザーによる操作受け付けを行う液晶パネルである。
【００１８】
操作パネル処理部１０４は、ＰＣ１００が備えている機能に対する操作項目を操作パネル１０３に表示する処理、ＰＣ１００の各種情報を表示する処理、又は操作パネル１０３からユーザーの操作を入力する処理を行う。
【００１９】
ネットワーク通信部１０５は、着脱可能なＬＡＮインターフェイスを備え、ＰＣ１００をネットワーク３００に接続し、ネットワーク３００に接続する装置やアクセスポイント４００からネットワーク３００に接続する携帯端末とデータの送受信を行う。
【００２０】
次に、画像形成装置２００の機能構成について、図２を用いて説明する。図２に示す画像形成装置２００は、制御部２０１、メモリー部２０２、記憶部２０３、ネットワーク通信部２０４、操作パネル２０５、操作パネル処理部２０６、原稿読取部２０７、画像処理部２０８及び印刷部２０９を備え、これら各部はバスなどにより接続される構成となっている。制御部２０１には、使用済マークデータ要求受付処理部２０１ａ、使用済マークデータ送信処理部２０１ｂ、印刷ジョブ受信処理部２０１ｃ、マーク付加判断処理部２０１ｄ、画像印刷実行処理部２０１ｅ、マーク印刷実行処理部２０１ｆ及び使用済マークデータ削除処理部２０１ｇが設けられている。メモリー部２０２には、使用済マークデータ記憶エリア２０２ａが設けられている。記憶部２０３には、画像データ記憶エリア２０３ａが設けられている。
【００２１】
制御部２０１は、ＲＡＭやＲＯＭ等の主記憶手段、及びＣＰＵ(Central Processing Unit)等の制御手段を備えている。また、制御部２０１は、各種Ｉ／Ｏや、ＵＳＢ（ユニバーサル・シリアル・バス）等のインターフェイス、バスコントローラー等を含む総合的な画像形成装置２００の制御を行う。
使用済マークデータ要求受付処理部２０１ａは、ＰＣ１００からの使用済マークデータの要求を受け付ける。
使用済マークデータ送信処理部２０１ｂは、使用済マークデータ記憶エリア２０２ａに記憶されている使用済マークデータをＰＣ１００に送信する。
印刷ジョブ受信処理部２０１ｃは、ＰＣ１００から印刷ジョブを受信する。
マーク付加判断処理部２０１ｄは、マークが付加されるかを判断し、マークが付加される場合には、マークとマークが付加された時刻とを使用済データとして使用済マークデータ記憶エリア２０２ａに記憶する。
画像印刷実行処理部２０１ｅは、片面印刷又は両面印刷、用紙サイズなどの印刷の設定データ（以下、「印刷設定データ」という）に基づいて、画像データを印刷部２０９により印刷する。
マーク印刷実行処理部２０１ｆは、マークが付加される場合には、後述するマーク設定画面７００から選択されたマークのデータ（以下、「マーク設定データ」という）に基づいて、マークを印刷部２０９により印刷する。
使用済マークデータ削除処理部２０１ｇは、マークが使用されてから予め決められた時間を経過したマークの使用済マークデータを使用済マークデータ記憶エリア２０２ａから削除する。
なお、使用済マークデータ要求受付処理部２０１ａ、使用済マークデータ送信処理部２０１ｂ、印刷ジョブ受信処理部２０１ｃ、マーク付加判断処理部２０１ｄ、画像印刷実行処理部２０１ｅ及びマーク印刷実行処理部２０１ｆの詳細については、後述する。
【００２２】
メモリー部２０２は、フラッシュメモリー等からなる補助記憶装置で、制御部２０１が実行する処理のプログラムやデータを記憶する。
使用済マークデータ記憶エリア２０２ａは、付加した使用済のマークのデータとそのマークを使用した時刻とを記憶する。また、予め決められた時間を経過した使用済マークのデータは、使用済マークデータ削除処理部２０１ｇにより使用済マークデータ記憶エリア２０２ａから削除される。
【００２３】
記憶部２０３は、データやプログラムを記憶するハードディスクドライブである。
画像データ記憶エリア２０３ａは、原稿読取部２０７から読み取られ画像処理部２０８により処理された画像データや、ネットワーク通信部２０４を経由してＰＣ１００又は携帯端末５００から受信した画像データを記憶する。
【００２４】
ネットワーク通信部２０４は、着脱可能なＬＡＮインターフェイスを備え、画像形成装置２００をネットワーク３００に接続し、ネットワーク３００に接続する装置やアクセスポイント４００からネットワーク３００に接続する携帯端末５００とデータの送受信を行う。
【００２５】
操作パネル２０５は、操作項目や各種情報の表示、ユーザーによる操作受け付けを行う液晶パネルである。
【００２６】
操作パネル処理部２０６は、画像形成装置２００が備えている機能に対する操作項目を操作パネル２０５に表示する処理、画像形成装置２００の各種情報や画像データを表示する処理、又は操作パネル２０５からユーザーの操作を入力する処理を行う。
【００２７】
原稿読取部２０７は、ユーザーによる操作パネル２０５からの読み取り操作により、画像形成装置２００の原稿台にセットされた原稿の読み取りを行い、読み取った原稿データを画像処理部２０８に出力する。
【００２８】
画像処理部２０８は、原稿読取部２０７が読み取った原稿データを入力すると、画像形成装置２００で処理可能な画像データに変換する処理を行う。
【００２９】
印刷部２０９は、片面印刷、両面印刷、モノクロ印刷及びカラー印刷などの機能を備え、ユーザーから印刷要求された画像データを用紙に印刷し、マークが付加される場合には、画像データが印刷された印刷用紙の余白部分にマークを印刷し、印刷用紙を排出空間に出力する。
【００３０】
次に、マーク設定画面７００とマークが付加された印刷用紙について、図２と図３とを用いて説明する。図２は、操作パネル１０３に表示されるマーク設定画面７００のフォーマットである。図３（ａ）は、片面印刷の場合に裏面にマークが付加された印刷用紙の例である。図３（ｂ）は、両面印刷の場合に表面にマークが付加された印刷用紙の例である。
【００３１】
図２に示すマーク設定画面７００は、ユーザーが画像データの印刷を行うときに表示する画面である。マーク設定画面７００は、「マーク付加有無」選択エリア７１０、「片面印刷スタンプ」選択エリア７２０、「片面両面印刷マーク色」選択エリア７３０及び「印刷」ボタン７４０の項目が設けられている。
【００３２】
「マーク付加有無」設定エリア７１０は、マーク付加の有無を設定する。ユーザーはマークを用紙に印刷する場合は、「マーク有」エリア７１０ａをポイントし、マークを用紙に印刷しない場合は、「マーク無」エリア７１０ｂをポイントする。
「片面印刷スタンプ」選択エリア７２０は、片面印刷の場合に印刷するマークのスタンプを選択する。なお、両面印刷が設定されている場合には、「片面印刷スタンプ」選択エリア７２０からスタンプを選択しても使用されない。
「片面両面印刷マーク色」選択エリア７３０は、片面印刷の場合に印刷するスタンプの色、又は両面印刷の場合に印刷するマーカーの色を選択する。
「印刷」ボタン７４０は、マーク設定画面７００から設定された各項目の設定データをプリンタードライバーに出力する。
【００３３】
このようなマーク設定画面７００において、例えば、ユーザーが片面印刷の設定を行い、「マーク付加有無」設定エリア７１０の「マーク有」エリア７１０ａをポイントし、次に「片面印刷スタンプ」選択エリア７２０の「♪」と「片面両面印刷マーク色」選択エリア７３０の赤色をポイントして、「印刷」ボタン７４０を押下する操作を行う。この操作により、スタンプ「♪」とスタンプ色の赤色が設定されたデータが印刷ジョブに格納されて画像形成装置２００に送信され、画像形成装置２００は、図３（ａ）に示すように、画像データが印刷された印刷用紙の裏面における余白部分の右下に「♪」のスタンプを赤色で印刷する。
また、マーク設定画面７００において、例えば、ユーザーが両面印刷の設定を行い、「マーク付加有無」設定エリア７１０の「マーク有」エリア７１０ａをポイントし、次に「片面両面印刷マーク色」選択エリア７２０の青色をポイントして、「印刷」ボタン７４０を押下する操作を行う。この操作により、マーカー色の青色が設定されたデータが印刷ジョブに格納されて画像形成装置２００に送信され、画像形成装置２００は、図３（ｂ）に示すように、画像データが印刷された印刷用紙の表面における余白部分の右下に青色のマーカーを印刷する。
【００３４】
次に、本発明の実施形態に係るマークの設定から印刷用紙の出力までの手順について、図４のフローチャートを用いてステップ順に説明する。
【００３５】
（ステップＳ１０１）
まず、ユーザーは、ＰＣ１００の画像データ記憶エリア１０２ａに記憶されている画像データを操作パネル１０３に表示し、操作パネル１０３から片面印刷又は両面印刷、用紙サイズなどの印刷の設定を行う。操作パネル処理部１０３は、画像データと、印刷設定データとを入力すると、プリンタードライバー処理部１０１ａに出力する。
【００３６】
（ステップＳ１０２）
次いで、ユーザーが操作パネル１０３からマーク設定画面７００の表示操作を行うと、マーク設定画面処理部１０１ｂは、マーク設定画面７００を操作パネル１０３に表示する。ユーザーがマーク設定画面７００の設定を行い、「印刷」ボタン７４０を押下する。例えば、ユーザーがマークを付加した片面印刷を行う場合には、マーク設定画面７００の「マーク付加有無」選択エリア７１０、「片面印刷スタンプ」選択エリア７２０、及び「片面両面印刷マーク色」選択エリア７３０の設定を行い、「印刷」ボタン７４０を押下する。マーク設定画面処理部１０１ｂは、「印刷」ボタン７４０が押下されたことを検知すると、マーク設定データをプリンタードライバー処理部１０１ａに出力する。
【００３７】
（ステップＳ１０３）
次いで、プリンタードライバー処理部１０１ａは、画像データ、印刷設定データ及びマーク設定画面設定データを入力すると、マーク設定データのマーク付加の有無が「マーク有」であるかを判断する。「マーク有」であるとき(ステップＳ１０３のＹｅｓ)は、ステップＳ１０４に進む。また、「マーク有」でなく「マーク無」であるとき(ステップＳ１０３のＮｏ)は、ステップＳ１１５に進む。
【００３８】
（ステップＳ１０４）
ステップＳ１０３のＹｅｓにおいて、プリンタードライバー処理部１０１ａは、使用済マークデータ要求送信処理部１０１ｃに使用済マークデータの要求を行うと、使用済マークデータ要求送信処理部１０１ｃは、使用済マークデータ要求通知を画像形成装置２００に送信する。
【００３９】
（ステップＳ１０５）
次いで、画像形成装置２００の使用済マークデータ要求受付処理部２０１ａは、ＰＣ１００から使用済マークデータ要求通知を受信する。
【００４０】
（ステップＳ１０６）
次いで、使用済マークデータ要求受付処理部２０１ａは、メモリー部２０２の使用済マークデータ記憶エリア２０２ａから使用済マークデータを取り出し、使用済マークデータ送信処理部２０１ｂに出力する。
【００４１】
（ステップＳ１０７）
次いで、使用済マークデータ送信処理部２０１ｂは、使用済マークデータを入力すると、使用済マークデータをＰＣ１００に送信する。
【００４２】
（ステップＳ１０８）
次いで、ＰＣ１００の使用済マークデータ受信処理部１０１ｄは、画像形成装置２００から使用済マークデータを受信すると、使用済マークデータ一時記憶エリア１０２ｂに記憶する。
【００４３】
（ステップＳ１０９）
次いで、プリンタードライバー処理部１０１ａは、使用済マークデータを受信したことを検知すると、印刷設定データに「片面印刷」が設定されているかを判断する。「片面印刷」が設定されているとき(ステップＳ１０９のＹｅｓ)は、ステップＳ１１０に進む。また、「片面印刷」でなく「両面印刷」が設定されているとき(ステップＳ１０９のＮｏ)は、ステップＳ１１２に進む。
【００４４】
（ステップＳ１１０）
ステップＳ１０９のＹｅｓにおいて、プリンタードライバー処理部１０１ａは、使用済マークデータ一時記憶エリア１０２ｂから使用済のスタンプとスタンプ色のデータを取り出す。
【００４５】
（ステップＳ１１１）
次いで、プリンタードライバー処理部１０１ａは、マーク画面設定データのスタンプ及びスタンプ色と、使用済のスタンプ及びスタンプ色とを比較し、ユーザーが選択したスタンプ及びスタンプ色が使用済であるかを判断する。スタンプ及びスタンプ色が使用済であるとき(ステップＳ１１１のＹｅｓ)は、ステップＳ１１４に進む。スタンプ及びスタンプ色が使用済でないとき(ステップＳ１１１のＮｏ)は、ステップＳ１１５に進む。
【００４６】
（ステップＳ１１２）
ステップＳ１０９のＮｏにおいて、プリンタードライバー処理部１０１ａは、使用済マーク画像データ一時記憶エリア１０２ｂから使用済のマーカー色のデータを取り出す。
【００４７】
（ステップＳ１１３）
次いで、プリンタードライバー処理部１０１ａは、マーク設定データのマーカー色と、使用済マーカー色とを比較し、ユーザーが選択したマーカー色が使用済であるかを判断する。マーカー色が使用済であるとき(ステップＳ１１３のＹｅｓ)は、ステップＳ１１４に進む。マーカー色が使用済でないとき(ステップＳ１１３のＮｏ)は、ステップＳ１１５に進む。
【００４８】
（ステップＳ１１４）
ステップＳ１１１のＹｅｓ又はステップＳ１１３のＹｅｓにおいて、プリンタードライバー処理部１０１ａは、マークの再設定を要求するメッセージを操作パネル１０３に表示すると、ステップＳ１０２に戻る。つまり、予め決められた時間内に同じマークが使用されるため、ユーザーにマーク設定画面７００からマークの再設定を行うように通知する。
【００４９】
（ステップＳ１１５）
ステップＳ１０３のＮｏ、ステップＳ１１１のＮｏ又はステップＳ１１３のＮｏにおいて、プリンタードライバー処理部１０１ａは、画像データ、印刷設定データ及びマーク設定データを格納した印刷ジョブを画像形成装置２００に送信する。
【００５０】
（ステップＳ１１６）
次いで、画像形成装置２００の印刷ジョブ受信処理部２０１ｃがＰＣ１００から印刷ジョブを受信すると、印刷ジョブからマーク設定データを取り出し、マーク付加判断処理部２０１ｄに出力する。
【００５１】
（ステップＳ１１７）
次いで、マーク付加判断処理部２０１ｄは、マーク設定データのマーク付加の有無が「マーク有」であるかを判断する。「マーク有」であるとき(ステップＳ１１７のＹｅｓ)は、ステップＳ１１８に進む。また、「マーク有」でなく「マーク無」であるとき(ステップＳ１１７のＮｏ)は、ステップＳ１２６に進む。
【００５２】
（ステップＳ１１８）
ステップＳ１１７のＹｅｓにおいて、マーク付加判断処理部２０１ｄは、印刷設定データに「片面印刷」が設定されているかを判断する。印刷設定データに「片面印刷」が設定されているとき(ステップＳ１１８のＹｅｓ)は、ステップＳ１１９に進む。また、印刷設定データに「片面印刷」でなく「両面印刷」が設定されているとき(ステップＳ１１８のＮｏ)は、ステップＳ１２１に進む。
【００５３】
（ステップＳ１１９）
ステップＳ１１８のＹｅｓにおいて、マーク付加判断処理部２０１ｄは、マーク設定データからスタンプとスタンプ色を取り出す。
【００５４】
（ステップＳ１２０）
次いで、マーク付加判断処理部２０１ｄは、スタンプ、スタンプ色及び現在時刻のデータを使用済マークデータ記憶エリア２０２ａに記憶する。
【００５５】
（ステップＳ１２１）
ステップＳ１１８のＮｏにおいて、マーク付加判断処理部２０１ｄは、マーク設定データからマーカー色を取り出す。
【００５６】
（ステップＳ１２２）
次いで、マーク付加判断処理部２０１ｄは、マーカー色及び現在時刻のデータを使用済マークデータ記憶エリア２０２ａに記憶する。
【００５７】
（ステップＳ１２３）
ステップＳ１２０又はステップＳ１２２に次いで、マーク付加判断処理部２０１ｄは、画像データ及び印刷設定データを画像印刷実行処理部２０１ｅに出力し、マーク設定データ及び印刷設定データをマーク印刷実行処理部２０１ｆに出力する。
【００５８】
（ステップＳ１２４）
次いで、画像印刷実行処理部２０１ｅは、画像データ及び印刷設定データを入力すると、印刷部２０９により、印刷設定データに基づいて画像データを用紙に印刷する。
【００５９】
（ステップＳ１２５）
次いで、マーク印刷実行処理部２０１ｆは、マーク設定データ及び印刷設定データを入力すると、印刷部２０９により、印刷設定データ及び印刷設定データに基づいてマークを画像データの印刷用紙における余白部分の右下に印刷すると、印刷用紙を出力する。
【００６０】
（ステップＳ１２６）
ステップＳ１１７のＮｏにおいて、マーク付加判断処理部２０１ｄは、画像データ及び印刷設定データを画像印刷実行処理部２０１ｅに出力する。
【００６１】
（ステップＳ１２７）
次いで、画像印刷実行処理部２０１ｅは、画像データ及び印刷設定データを入力すると、印刷部２０９により、印刷設定データに基づいて画像データを用紙に印刷すると、印刷用紙を出力する。
【００６２】
以上により、ユーザーが印刷を行うときに、マーク設定画面７００により複数の識別が可能なマーク（識別マーク）からマークを選択するので、画像形成装置２００毎に設定したマークをユーザーが覚えておく必要がなくなる。また使用済マークデータ削除処理部２０１ｇは、マークが付加されてから予め決められた時間が経過した使用済マークデータを使用済マークデータ記憶エリア２０２ａから削除するので、決められた時間内に使用された使用済マークデータだけがＰＣ１００に送信される。これにより、ＰＣ１００は、この使用済マークデータを用いてユーザーが選択したマークが使用済みであるかを判断することで、決められた時間内に同じマークが付加された異なるユーザーの印刷用紙を出力しない。
また、ユーザーが片面印刷を設定し、マーク設定画面７００からマーク有り、スタンプ及びスタンプ色を選択すると、選択したスタンプ色の選択したスタンプが印刷用紙の裏面に自動的に印刷される。ユーザーが両面印刷を設定し、マーク設定画面７００からマーク有り及びマーカー色を選択すると、選択したマーカー色のマーカーが印刷用紙の表面に自動的に印刷される。このように、片面印刷又は両面印刷かを判断することで、マークが極力目立たないように印刷できる。また、片面印刷にはスタンプ、両面印刷にはマーカーを使用し、またスタンプとマーカーには複数の色が選択できるので、他のユーザーと同じマークが選択される可能性が低くなる。
【００６３】
なお、実施形態においては、ユーザーがマーク設定画面７００からマークを選択し、「印刷」ボタン７４０を押下した後に、使用済マークデータの要求を画像形成装置２００に送信し、受信した使用済マークデータにより、マークが既に使用済であるかを判断し、使用済である場合に、再びマーク設定画面７００を表示してユーザーにマークを選択させるようにしたが、これに限定されない。例えば、ユーザーがマーク設定画面７００からマークを選択したときに、使用済マークデータの要求を画像形成装置２００に送信し、受信した使用済マークデータにより、マークが既に使用済であるかを判断し、使用済でない場合に、ユーザーが選択したマークを受け付けるようにすることも可能である。
【００６４】
また、実施形態においては、マークのスタンプ又はマーカーを印刷用紙の余白部分の右下に印刷するようにしたが、これに限定されない。例えば、余白部分の右上、右中央、左下、左上又は左中央などとすることも可能である。
【００６５】
また、実施形態においては、ＰＣ１００の操作パネル１０３にマーク設定画面７００を表示し、マーク設定データを格納した印刷ジョブを画像形成装置２００に送信するようにしたが、これに限定されない。例えば、アクセスポイント４００によりネットワーク３００と接続する携帯端末５００も同様に行うことができる。また、画像形成装置２００も同様に行うことができる。画像形成装置２００の場合には、操作パネル２０５にマーク設定画面７００を表示し、使用済マークデータ記憶エリア２０２ａの使用済マークデータを直接取り出し、ユーザーが選択したマークが使用済みであるかを判断する。
【００６６】
また、実施形態においては、片面印刷の場合にはマークをスタンプとし、両面印刷の場合にはマークをマーカーとしたが、これに限定されない。例えば、片面印刷と両面印刷の両方をスタンプとし、両面印刷のスタンプを片面印刷のスタンプより小さくして印刷することも可能である。また、片面印刷と両面印刷の両方をマーカーとし、両面印刷のマーカーを片面印刷のマーカーより線を細く印刷することも可能である。
【００６７】
また、実施形態においては、マーク設定画面７００を用いてマークを設定するようにしたが、これに限定されない。例えば、ＰＣ１００の操作パネル１０３からマーク設定画面７００を用いずに設定することも可能である。
【００６８】
また、実施形態においては、片面印刷の場合に文字や記号などのスタンプを用いるようにしたが、これに限定されない。例えば、スタンプを予め登録されている写真又は絵などの画像とすることも可能である。
【００６９】
また、実施形態においては、マークが付加されてから予め決められた時間が経過した使用済マークデータを使用済マークデータ記憶エリア２０２ａから削除するようにしたが、これに限定されない。例えば、排出された印刷用紙が置かれる位置にセンサーを取り付け、このセンサーが印刷用紙を検出しないなどの所定の条件を満たす場合にも、使用済マークデータ記憶エリア２０２ａから使用済マークデータを削除することができる。つまり、排出された印刷用紙が全て取り出された場合には、複数のユーザーの印刷用紙が重なり合うことがないので、ユーザーがどのようなマークでも選択できることにより、使用済マークデータ記憶エリア２０２ａから使用済マークデータを削除できる。
【００７０】
このような本発明の印刷用紙仕分けシステム、及び画像形成装置は、決められた時間内に同じマークが付加された異なるユーザーの印刷用紙が出力されないようにすることで、印刷用紙の仕分けを容易に行うことができる。
【００７１】
以上、具体的な実施の形態により本発明を説明したが、上記実施の形態は本発明の例示であり、この実施の形態に限定されないことは言うまでもない。
【産業上の利用可能性】
【００７２】
本発明は、用紙を出力する機能を有するシステム及び装置一般に適用できる。
【符号の説明】
【００７３】
１０・・・・・・印刷用紙仕分けシステム
１００・・・・・ＰＣ
１０１・・・・・制御部
１０１ａ・・・・プリンタードライバー処理部
１０１ｂ・・・・マーク設定画面処理部
１０１ｃ・・・・使用済マークデータ要求送信処理部
１０１ｄ・・・・使用済マークデータ受信処理部
１０１ｅ・・・・印刷ジョブ送信処理部
１０２・・・・・メモリー部
１０２ａ・・・・画像データ記憶エリア
１０２ｂ・・・・使用済マークデータ一時記憶エリア
１０３・・・・・操作パネル
１０４・・・・・操作パネル処理部
１０５・・・・・ネットワーク通信部
２００・・・・・画像形成装置
２０１・・・・・制御部
２０１ａ・・・・使用済マークデータ要求受付処理部
２０１ｂ・・・・使用済マークデータ送信処理部
２０１ｃ・・・・印刷ジョブ受信処理部
２０１ｄ・・・・マーク付加判断処理部
２０１ｅ・・・・画像印刷実行処理部
２０１ｆ・・・・マーク印刷実行処理部
２０１ｇ・・・・使用済マークデータ削除処理部
２０２・・・・・メモリー部
２０２ａ・・・・使用済マークデータ記憶エリア
２０３・・・・・記憶部
２０３ａ・・・・画像データ記憶エリア
２０４・・・・・ネットワーク通信部
２０５・・・・・操作パネル
２０６・・・・・操作パネル処理部
２０７・・・・・原稿読取部
２０８・・・・・画像処理部
２０９・・・・・印刷部
３００・・・・・ネットワーク
４００・・・・・アクセスポイント
５００・・・・・携帯端末
７００・・・・・マーク設定画面
７１０・・・・・「マーク付加有無」選択エリア
７１０ａ・・・・「マーク有」エリア
７１０ｂ・・・・「マーク無」エリア
７２０・・・・・「片面印刷スタンプ」選択エリア
７３０・・・・・「片面両面印刷マーク色」選択エリア
７４０・・・・・「印刷」ボタン
【図１】
0006406117.tif 000002
【図２】
0006406117.tif 000003
【図３】
0006406117.tif 000004
【図４】
0006406117.tif 000005